(57)【要約】  本明細書の態様は、ワイヤレス通信における基準信号を送信することについて説明する。通信の遅延に関する構成済み遅延値は、対応するリソース許可を受信したことに基づいて決定され得る。通信のための基準信号を送信するためのスロットの時分割は、構成済み遅延値に少なくとも部分的に基づいて決定され得る。基準信号は、スロットの時分割の間に送信され得る。
2020520580.tif 000002
【特許請求の範囲】
【請求項１】
ワイヤレス通信における基準信号を送信するための方法であって、
対応するリソース許可を受信することと前記対応するリソース許可によって示されたリソースを介してアップリンク通信を送信することとの間の通信の遅延に関する構成済み遅延値を決定するステップと、
前記構成済み遅延値に少なくとも部分的に基づいて、前記通信のための基準信号を送信するためのスロットの時分割を決定するステップと、
前記スロットの前記時分割の間に前記基準信号を送信するステップと
を備える方法。
【請求項２】
前記構成済み遅延値を決定するステップが、前記構成済み遅延値が前記対応するリソース許可が受信される間の同じスロットにおいて前記通信を送信することを示すと決定するステップを備え、前記基準信号を送信するための前記スロットの前記時分割を決定するステップが、前記スロットのアップリンク部分の最初のシンボルとして前記スロットの前記時分割を決定するステップを備える、請求項1に記載の方法。
【請求項３】
前記スロットの前記アップリンク部分の前記最初のシンボルを決定するステップが、前記スロットのダウンリンク部分における最後のシンボルに隣接するものとして、前記スロットの前記ダウンリンク部分に続くガード期間における最後のシンボルに隣接するものとして前記最初のシンボルを決定するステップを備える、請求項2に記載の方法。
【請求項４】
前記スロットの前記時分割の間に前記基準信号を送信するために使用されるものとは異なる周波数部分において前記基準信号を送信するための前記スロットの後続の時分割を決定するステップであって、前記スロットの前記後続の時分割を決定するステップが、前記異なる周波数部分に対応する前記スロットの別のアップリンク部分の別の最初のシンボルを決定するステップを備える、ステップと、
前記スロットの前記後続の時分割の間に前記基準信号を送信するステップと
をさらに備える、請求項1に記載の方法。
【請求項５】
前記構成済み遅延値を決定するステップが、前記対応するリソース許可を受信すると後続のスロットにおいて前記通信を送信することを前記構成済み遅延値が示すと決定するステップを備え、前記基準信号を送信するための前記スロットの前記時分割を決定するステップが、前記スロットの固定シンボルインデックスに対応するシンボルとして前記スロットの前記時分割を決定するステップを備える、請求項1に記載の方法。
【請求項６】
前記固定シンボルインデックスの指示を基地局から受信するステップをさらに備える、請求項5に記載の方法。
【請求項７】
前記構成済み遅延値が前記後続のスロットにおいて前記通信を送信することを示すと決定したことに基づいて、前記基準信号を任意選択で送信するための前記スロットの別の固定シンボルインデックスとして前記スロットの後続の時分割を決定するステップと、
前記スロットの前記後続の時分割の間に前記基準信号を送信するステップと
をさらに備える、請求項5に記載の方法。
【請求項８】
ワイヤレス通信における基準信号を送信するための装置であって、
少なくとも送信機および1つまたは複数のアンテナを介して1つまたは複数のワイヤレス信号を通信するためのトランシーバと、
命令を記憶するように構成されたメモリと、
前記トランシーバおよび前記メモリと通信可能に結合された1つまたは複数のプロセッサとを備え、前記1つまたは複数のプロセッサが、
対応するリソース許可を受信することと前記対応するリソース許可によって示されたリソースを介してアップリンク通信を送信することとの間の通信の遅延に関する構成済み遅延値を決定し、
前記構成済み遅延値に少なくとも部分的に基づいて、前記通信のための基準信号を送信するためのスロットの時分割を決定し、
前記スロットの前記時分割の間に前記基準信号を送信する
ように構成される、装置。
【請求項９】
前記1つまたは複数のプロセッサが、前記構成済み遅延値が前記対応するリソース許可が受信される間の同じスロットにおいて前記通信を送信することを示すと決定するように構成され、前記1つまたは複数のプロセッサが、前記スロットのアップリンク部分の最初のシンボルとして前記スロットの前記時分割を決定するように構成される、請求項8に記載の装置。
【請求項１０】
前記1つまたは複数のプロセッサが、前記スロットのダウンリンク部分における最後のシンボルに隣接するものとして、前記スロットの前記ダウンリンク部分に続くガード期間における最後のシンボルに隣接するものとしての前記最初のシンボルとして前記スロットの前記アップリンク部分の前記最初のシンボルを決定するように構成される、請求項9に記載の装置。
【請求項１１】
前記1つまたは複数のプロセッサが、
前記スロットの前記時分割の間に前記基準信号を送信するために使用されるものとは異なる周波数部分において前記基準信号を送信するための前記スロットの後続の時分割を決定することであって、前記1つまたは複数のプロセッサが、前記異なる周波数部分に対応する前記スロットの別のアップリンク部分の別の最初のシンボルとして前記スロットの前記後続の時分割を決定するように構成される、決定することと、
前記スロットの前記後続の時分割の間に前記基準信号を送信することと
を行うようにさらに構成される、請求項8に記載の装置。
【請求項１２】
前記1つまたは複数のプロセッサが、前記構成済み遅延値が前記対応するリソース許可を受信すると後続のスロットにおいて前記通信を送信することを示すと決定するように構成され、前記1つまたは複数のプロセッサが、前記スロットの固定シンボルインデックスに対応するシンボルとして前記スロットの前記時分割を決定するように構成される、請求項8に記載の装置。
【請求項１３】
前記1つまたは複数のプロセッサが、前記固定シンボルインデックスの指示を基地局から受信するようにさらに構成される、請求項12に記載の装置。
【請求項１４】
前記1つまたは複数のプロセッサが、
前記構成済み遅延値が前記後続のスロットにおいて前記通信を送信することを示すと前記決定したことに基づいて、前記基準信号を任意選択で送信するための前記スロットの別の固定シンボルインデックスとして前記スロットの後続の時分割を決定し、
前記スロットの前記後続の時分割の間に前記基準信号を送信する
ようにさらに構成される、請求項12に記載の装置。
【請求項１５】
ワイヤレス通信における基準信号を送信するための装置であって、
対応するリソース許可を受信することと前記対応するリソース許可によって示されたリソースを介してアップリンク通信を送信することとの間の通信の遅延に関する構成済み遅延値を決定するための手段と、
前記構成済み遅延値に少なくとも部分的に基づいて、前記通信のための基準信号を送信するためのスロットの時分割を決定するための手段と、
前記スロットの前記時分割の間に前記基準信号を送信するための手段と
を備える装置。
【請求項１６】
前記構成済み遅延値を決定するための前記手段が、前記構成済み遅延値が前記対応するリソース許可が受信される間の同じスロットにおいて前記通信を送信することを示すと決定し、前記基準信号を送信するための前記スロットの前記時分割を決定するための前記手段が、前記スロットのアップリンク部分の最初のシンボルとして前記スロットの前記時分割を決定する、請求項15に記載の装置。
【請求項１７】
前記スロットの前記アップリンク部分の前記最初のシンボルを決定するための前記手段が、前記スロットのダウンリンク部分における最後のシンボルに隣接するものとして、前記スロットの前記ダウンリンク部分に続くガード期間における最後のシンボルに隣接するものとして前記最初のシンボルを決定する、請求項16に記載の装置。
【請求項１８】
前記スロットの前記時分割の間に前記基準信号を送信するために使用されるものとは異なる周波数部分において前記基準信号を送信するための前記スロットの後続の時分割を決定するための手段であって、前記スロットの前記後続の時分割を決定するための前記手段が、前記異なる周波数部分に対応する前記スロットの別のアップリンク部分の別の最初のシンボルを決定する、手段と、
前記スロットの前記後続の時分割の間に前記基準信号を送信するための手段と
をさらに備える、請求項15に記載の装置。
【請求項１９】
前記構成済み遅延値を決定するための前記手段が、前記構成済み遅延値が前記対応するリソース許可を受信すると後続のスロットにおいて前記通信を送信することを示すと決定し、前記基準信号を送信するための前記スロットの前記時分割を決定するための前記手段が、前記スロットの固定シンボルインデックスに対応するシンボルとして前記スロットの前記時分割を決定する、請求項15に記載の装置。
【請求項２０】
前記固定シンボルインデックスの指示を基地局から受信するための手段をさらに備える、請求項19に記載の装置。
【請求項２１】
前記構成済み遅延値が前記後続のスロットにおいて前記通信を送信することを示すと前記決定したことに基づいて、前記基準信号を任意選択で送信するための前記スロットの別の固定シンボルインデックスとして前記スロットの後続の時分割を決定するための手段と、
前記スロットの前記後続の時分割の間に前記基準信号を送信するための手段と
をさらに備える、請求項19に記載の装置。
【請求項２２】
ワイヤレス通信における基準信号を送信するための1つまたは複数のプロセッサによって実行可能なコードを備えるコンピュータ可読記録媒体であって、前記コードが、
対応するリソース許可を受信することと前記対応するリソース許可によって示されたリソースを介してアップリンク通信を送信することとの間の通信の遅延に関する構成済み遅延値を決定するためのコードと、
前記構成済み遅延値に少なくとも部分的に基づいて、前記通信のための基準信号を送信するためのスロットの時分割を決定するためのコードと、
前記スロットの前記時分割の間に前記基準信号を送信するためのコードと
を備える、コンピュータ可読記録媒体。
【請求項２３】
前記構成済み遅延値を決定するための前記コードが、前記構成済み遅延値が前記対応するリソース許可が受信される間の同じスロットにおいて前記通信を送信することを示すと決定し、前記基準信号を送信するための前記スロットの前記時分割を決定するための前記コードが、前記スロットのアップリンク部分の最初のシンボルとして前記スロットの前記時分割を決定する、請求項22に記載のコンピュータ可読記録媒体。
【請求項２４】
前記スロットの前記アップリンク部分の前記最初のシンボルを決定するための前記コードが、前記スロットのダウンリンク部分における最後のシンボルに隣接するものとして、前記スロットの前記ダウンリンク部分に続くガード期間における最後のシンボルに隣接するものとして前記最初のシンボルを決定する、請求項23に記載のコンピュータ可読記録媒体。
【請求項２５】
前記スロットの前記時分割の間に前記基準信号を送信するために使用されるものとは異なる周波数部分において前記基準信号を送信するための前記スロットの後続の時分割を決定するためのコードであって、前記スロットの前記後続の時分割を決定するための前記コードが、前記異なる周波数部分に対応する前記スロットの別のアップリンク部分の別の最初のシンボルを決定する、コードと、
前記スロットの前記後続の時分割の間に前記基準信号を送信するためのコードと
をさらに備える、請求項22に記載のコンピュータ可読記録媒体。
【請求項２６】
前記構成済み遅延値を決定するための前記コードが、前記構成済み遅延値が前記対応するリソース許可を受信すると後続のスロットにおいて前記通信を送信することを示すと決定し、前記基準信号を送信するための前記スロットの前記時分割を決定するための前記コードが、前記スロットの固定シンボルインデックスに対応するシンボルとして前記スロットの前記時分割を決定する、請求項22に記載のコンピュータ可読記録媒体。
【請求項２７】
前記固定シンボルインデックスの指示を基地局から受信するためのコードをさらに備える、請求項26に記載のコンピュータ可読記録媒体。
【請求項２８】
前記構成済み遅延値が前記後続のスロットにおいて前記通信を送信することを示すと前記決定したことに基づいて、前記基準信号を任意選択で送信するための前記スロットの別の固定シンボルインデックスとして前記スロットの後続の時分割を決定するためのコードと、
前記スロットの前記後続の時分割の間に前記基準信号を送信するためのコードと
をさらに備える、請求項26に記載のコンピュータ可読記録媒体。
【請求項２９】
ワイヤレス通信における基準信号の送信を構成するための方法であって、
対応するリソース許可を受信することと前記対応するリソース許可によって示されたリソースを介してアップリンク通信を送信することとの間の通信の遅延に関する構成済み遅延値をユーザ機器(UE)に示すステップと、
前記構成済み遅延値に少なくとも部分的に基づいて基準信号を送信するための固定シンボルインデックスの指示を前記UEに示すステップと、
前記固定シンボルインデックスに対応するスロットのシンボルにおいて前記UEから少なくとも前記基準信号を受信するステップと
を備える方法。
【請求項３０】
前記シンボルにおいて少なくとも前記基準信号を受信することが、前記対応するリソース許可を受信するのと同じスロットにおける前記通信として前記構成済み遅延値を示すことに少なくとも部分的に基づく、請求項29に記載の方法。
【請求項３１】
ワイヤレス通信における基準信号の送信を構成するための装置であって、
少なくとも送信機および1つまたは複数のアンテナを介して1つまたは複数のワイヤレス信号を通信するためのトランシーバと、
命令を記憶するように構成されたメモリと、
前記トランシーバおよび前記メモリと通信可能に結合された1つまたは複数のプロセッサとを備え、前記1つまたは複数のプロセッサが、
対応するリソース許可を受信することと前記対応するリソース許可によって示されたリソースを介してアップリンク通信を送信することとの間の通信の遅延に関する構成済み遅延値をユーザ機器(UE)に示し、
前記構成済み遅延値に少なくとも部分的に基づいて基準信号を送信するための固定シンボルインデックスの指示を前記UEに示し、
前記固定シンボルインデックスに対応するスロットのシンボルにおいて前記UEから少なくとも前記基準信号を受信する
ように構成される、装置。
【請求項３２】
前記1つまたは複数のプロセッサが、前記対応するリソース許可を受信するのと同じスロットにおける前記通信として前記構成済み遅延値を示すことに少なくとも部分的に基づいて、前記シンボルにおいて少なくとも前記基準信号を受信するように構成される、請求項31に記載の装置。
【請求項３３】
ワイヤレス通信における基準信号の送信を構成するための装置であって、
対応するリソース許可を受信することと前記対応するリソース許可によって示されたリソースを介してアップリンク通信を送信することとの間の通信の遅延に関する構成済み遅延値をユーザ機器(UE)に示すための手段と、
前記構成済み遅延値に少なくとも部分的に基づいて基準信号を送信するための固定シンボルインデックスの指示を前記UEに示すための手段と、
前記固定シンボルインデックスに対応するスロットのシンボルにおいて前記UEから少なくとも前記基準信号を受信するための手段と
を備える装置。
【請求項３４】
前記シンボルにおいて少なくとも前記基準信号を受信するための前記手段が、前記対応するリソース許可を受信するのと同じスロットにおける前記通信として前記構成済み遅延値を示すことに少なくとも部分的に基づいて受信する、請求項33に記載の装置。
【請求項３５】
ワイヤレス通信における基準信号の送信を構成するための1つまたは複数のプロセッサによって実行可能なコードを備えるコンピュータ可読記録媒体であって、前記コードが、
対応するリソース許可を受信することと前記対応するリソース許可によって示されたリソースを介してアップリンク通信を送信することとの間の通信の遅延に関する構成済み遅延値をユーザ機器(UE)に示すためのコードと、
前記構成済み遅延値に少なくとも部分的に基づいて基準信号を送信するための固定シンボルインデックスの指示を前記UEに示すためのコードと、
前記固定シンボルインデックスに対応するスロットのシンボルにおいて前記UEから少なくとも前記基準信号を受信するためのコードと
を備える、コンピュータ可読記録媒体。
【請求項３６】
前記シンボルにおいて少なくとも前記基準信号を受信するための前記コードが、前記対応するリソース許可を受信するのと同じスロットにおける前記通信として前記構成済み遅延値を示すことに少なくとも部分的に基づいて受信する、請求項35に記載のコンピュータ可読記録媒体。
【発明の詳細な説明】
【技術分野】
【０００１】
関連出願の相互参照
本特許出願は、本出願の譲受人に譲渡され、すべての目的のために参照により本明細書に明確に組み込まれる、2018年5月2日に出願された「TRANSMITTING REFERENCE SIGNALS BASED ON WIRELESS COMMUNICATIONS TIMELINE」と題する米国非仮出願第15/969,366号、および2017年5月4日に出願された「TRANSMITTING REFERENCE SIGNALS BASED ON WIRELESS COMMUNICATIONS TIMELINE」と題する米国仮出願第62/501,563号の優先権を主張する。
【０００２】
本開示の態様は、一般にワイヤレス通信システムに関し、より詳細には、基準信号を送信することに関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例は、符号分割多元接続(CDMA)システム、時分割多元接続(TDMA)システム、周波数分割多元接続(FDMA)システム、直交周波数分割多元接続(OFDMA)システム、およびシングルキャリア周波数分割多元接続(SC-FDMA)システムを含む。
【０００４】
これらの多元接続技術は、異なるワイヤレスデバイスが都市、国家、地域、さらには地球規模で通信することを可能にする共通プロトコルを提供するために、様々な電気通信規格において採用されている。たとえば、(5Gニューラジオ(5G NR)と呼ばれることがある)第5世代(5G)ワイヤレス通信技術は、現行のモバイルネットワーク世代に関する多様な使用シナリオおよびアプリケーションを拡張し、サポートするように想定されている。一態様では、5G通信技術は、マルチメディアコンテンツ、サービスおよびデータにアクセスするための人間中心の使用事例に対処する拡張モバイルブロードバンド(eMBB)、レイテンシおよび信頼性についてのいくつかの仕様を有する超高信頼低レイテンシ通信(URLLC)、および非常に多数の被接続デバイスと比較的少量の遅延に影響されない情報の送信とを可能にすることができるマッシブマシンタイプ通信などのサービスを含むことができる。しかしながら、モバイルブロードバンドアクセスに対する需要が増加し続けるにつれて、5G通信技術以降におけるさらなる改善が望まれ得る。
【０００５】
一般に、5G、ロングタームエボリューション(LTE)、および/または他のワイヤレス通信では、ユーザ機器(UE)は、ワイヤレス通信ネットワークへのアクセスを受けるためにノードBと通信することができる。ノードBは、UEが通信する際に利用するためのワイヤレスリソースを(周波数および時間にわたって)スケジュールすることができる。加えて、UEは、1つまたは複数の基準信号をノードBに送信することができ、基準信号は、ノードBがUEからのワイヤレス通信を復号することを試みるための1つまたは複数のパラメータを決定することを可能にする復調基準信号(DM-RS)を含み得る。典型的には、(たとえば、5Gより前の)レガシーLTEでは、UEは、サブフレームの各スロットの中の1つのシンボルにおいて(少なくとも、UEが他のアップリンク通信を実行するサブフレームにおいて)、そのサブフレームの中の固定シンボルインデックス(それぞれ、スロット0および1の中のシンボル3および10)においてDM-RSを送信する。
【０００６】
5Gでは、アップリンク許可を受信するためのスロットと対応するアップリンク通信を送信するためのスロットとの間の(K2と呼ばれる)異なる遅延値がサポートされ得る。たとえば、UEが同じスロットにおいてアップリンク許可を復号し、対応するアップリンク通信を送信する場合、K2=0がサポートされ得るか、または、UEがあるスロットにおいてアップリンク許可を復号し、N個のスロット後に対応するアップリンク通信を送信する場合、K2=N(ただし、N>0)がサポートされ得る。遅延値K2は、ノードBによって構成されること、規格または仕様(たとえば、UEメモリ内のハードコーディングされた命令)に基づいて決定されること、UEメモリ内の命令とノードBによって構成されたパラメータの組合せに基づいて決定されることなどが可能であり、UEは、アップリンク許可および遅延値K2に基づいて、アップリンクワイヤレス通信をいつ送信するかを決定することができる。
【発明の概要】
【課題を解決するための手段】
【０００７】
以下は、1つまたは複数の態様の基本的理解を与えるために、そのような態様の簡略化された概要を提示する。この概要は、すべての企図される態様の包括的な概説ではなく、すべての態様の主要または重要な要素を識別するものでもなく、いずれかまたはすべての態様の範囲を定めるものでもない。その唯一の目的は、後で提示されるより詳細な説明の前置きとして、1つまたは複数の態様のいくつかの概念を簡略化された形で提示することである。
【０００８】
一例によれば、ワイヤレス通信における基準信号を送信するための方法が提供される。方法は、対応するリソース許可を受信することと対応するリソース許可によって示されたリソースを介してアップリンク通信を送信することとの間の通信の遅延に関する構成済み遅延値を決定するステップと、構成済み遅延値に少なくとも部分的に基づいて、通信のための基準信号を送信するためのスロットの時分割を決定するステップと、スロットの時分割の間に基準信号を送信するステップとを含む。
【０００９】
別の例では、ワイヤレス通信における基準信号を送信するための装置が提供される。装置は、少なくとも送信機および1つまたは複数のアンテナを介して1つまたは複数のワイヤレス信号を通信するためのトランシーバと、命令を記憶するように構成されたメモリと、トランシーバおよびメモリと通信可能に結合された1つまたは複数のプロセッサとを含む。1つまたは複数のプロセッサは、対応するリソース許可を受信することと対応するリソース許可によって示されたリソースを介してアップリンク通信を送信することとの間の通信の遅延に関する構成済み遅延値を決定し、構成済み遅延値に少なくとも部分的に基づいて、通信のための基準信号を送信するためのスロットの時分割を決定し、スロットの時分割の間に基準信号を送信するように構成される。
【００１０】
別の例では、対応するリソース許可を受信することと対応するリソース許可によって示されたリソースを介してアップリンク通信を送信することとの間の通信の遅延に関する構成済み遅延値を決定するための手段と、構成済み遅延値に少なくとも部分的に基づいて、通信のための基準信号を送信するためのスロットの時分割を決定するための手段と、スロットの時分割の間に基準信号を送信するための手段とを含む、ワイヤレス通信における基準信号を送信するための装置が提供される。
【００１１】
また別の例では、ワイヤレス通信における基準信号を送信するための1つまたは複数のプロセッサによって実行可能なコードを含むコンピュータ可読媒体が提供される。コードは、対応するリソース許可を受信することと対応するリソース許可によって示されたリソースを介してアップリンク通信を送信することとの間の通信の遅延に関する構成済み遅延値を決定するためのコードと、構成済み遅延値に少なくとも部分的に基づいて、通信のための基準信号を送信するためのスロットの時分割を決定するためのコードと、スロットの時分割の間に基準信号を送信するためのコードとを含む。
【００１２】
別の例では、ワイヤレス通信における基準信号の送信を構成するための方法が提供される。方法は、対応するリソース許可を受信することと対応するリソース許可によって示されたリソースを介してアップリンク通信を送信することとの間の通信の遅延に関する構成済み遅延値をユーザ機器(UE)に示すステップと、構成済み遅延値に少なくとも部分的に基づいて基準信号を送信するための固定シンボルインデックスの指示をUEに示すステップと、固定シンボルインデックスに対応するスロットのシンボルにおいてUEから少なくとも基準信号を受信するステップとを含む。
【００１３】
別の例では、少なくとも送信機および1つまたは複数のアンテナを介して1つまたは複数のワイヤレス信号を通信するためのトランシーバと、命令を記憶するように構成されたメモリと、トランシーバおよびメモリと通信可能に結合された1つまたは複数のプロセッサとを含む、ワイヤレス通信における基準信号の送信を構成するための装置が提供される。1つまたは複数のプロセッサは、対応するリソース許可を受信することと対応するリソース許可によって示されたリソースを介してアップリンク通信を送信することとの間の通信の遅延に関する構成済み遅延値をUEに示し、構成済み遅延値に少なくとも部分的に基づいて基準信号を送信するための固定シンボルインデックスの指示をUEに示し、固定シンボルインデックスに対応するスロットのシンボルにおいてUEから少なくとも基準信号を受信するように構成される。
【００１４】
別の例では、ワイヤレス通信における基準信号の送信を構成するための装置が提供される。装置は、対応するリソース許可を受信することと対応するリソース許可によって示されたリソースを介してアップリンク通信を送信することとの間の通信の遅延に関する構成済み遅延値をUEに示すための手段と、構成済み遅延値に少なくとも部分的に基づいて基準信号を送信するための固定シンボルインデックスの指示をUEに示すための手段と、固定シンボルインデックスに対応するスロットのシンボルにおいてUEから少なくとも基準信号を受信するための手段とを含む。
【００１５】
また別の例では、ワイヤレス通信における基準信号の送信を構成するための1つまたは複数のプロセッサによって実行可能なコードを含むコンピュータ可読媒体が提供される。コードは、対応するリソース許可を受信することと対応するリソース許可によって示されたリソースを介してアップリンク通信を送信することとの間の通信の遅延に関する構成済み遅延値をUEに示すためのコードと、構成済み遅延値に少なくとも部分的に基づいて基準信号を送信するための固定シンボルインデックスの指示をUEに示すためのコードと、固定シンボルインデックスに対応するスロットのシンボルにおいてUEから少なくとも基準信号を受信するためのコードとを含む。
【００１６】
さらなる態様では、トランシーバと、命令を記憶するように構成されたメモリと、トランシーバおよびメモリと通信可能に結合された1つまたは複数のプロセッサとを含む、ワイヤレス通信のための装置が提供される。1つまたは複数のプロセッサは、本明細書で説明する方法の動作を実行するための命令を実行するように構成される。別の態様では、本明細書で説明する方法の動作を実行するための手段を含む、ワイヤレス通信のための装置が提供される。また別の態様では、本明細書で説明する方法の動作を実行するために1つまたは複数のプロセッサによって実行可能なコードを含むコンピュータ可読媒体が提供される。
【００１７】
上記の目的および関係する目的の達成のために、1つまたは複数の態様は、以下で十分に説明し、特に特許請求の範囲で指摘する特徴を備える。以下の説明および添付の図面は、1つまたは複数の態様のいくつかの例示的な特徴を詳細に記載している。しかしながら、これらの特徴は、様々な態様の原理が採用され得る様々な方法のほんのいくつかを示すものであり、この説明は、すべてのそのような態様およびそれらの均等物を含むものとする。
【００１８】
開示する態様について、開示する態様を限定するためではなく例示するために提供される添付の図面に関して以下で説明し、同様の名称は同様の要素を示している。
【図面の簡単な説明】
【００１９】
【図１】本開示の様々な態様による、ワイヤレス通信システムの一例を示す図である。
【図２】本開示の様々な態様による、基地局の一例を示すブロック図である。
【図３】本開示の様々な態様による、UEの一例を示すブロック図である。
【図４】本開示の様々な態様による、基準信号を送信するための方法の一例を示すフローチャートである。
【図５】本開示の様々な態様による、基準信号時分割を示すための方法の一例を示すフローチャートである。
【図６Ａ】本開示の様々な態様による、第1の遅延値のためのリソース割振りの一例を示す図である。
【図６Ｂ】本開示の様々な態様による、第1の遅延値のためのリソース割振りの一例を示す図である。
【図７Ａ】本開示の様々な態様による、第2の遅延値のためのリソース割振りの一例を示す図である。
【図７Ｂ】本開示の様々な態様による、第2の遅延値のためのリソース割振りの一例を示す図である。
【図８】本開示の様々な態様による、基地局およびUEを含むMIMO通信システムの一例を示すブロック図である。
【発明を実施するための形態】
【００２０】
次に、図面を参照しながら様々な態様について説明する。以下の説明では、説明の目的で、1つまたは複数の態様の完全な理解を与えるために、多数の具体的な詳細が記載されている。しかしながら、そのような態様がこれらの具体的な詳細なしに実践され得ることは明らかであろう。
【００２１】
説明する特徴は、一般に、遅延値に少なくとも部分的に基づいて基準信号(RS)を送信するための時分割ロケーションを決定することに関し、ここで、遅延値は、許可に対応する通信をいつ送信するかを決定するために構成され得る。一例では、時分割ロケーションは、ワイヤレス通信技術において定義されたスロットなどの時分割リソースに対応することができる。たとえば、スロットは、複数の直交周波数分割多重(OFDM)シンボル、シングルキャリア周波数分割多重(SC-FDM)シンボルなどによって時間的に定義されてもよく、ここで、シンボルは、ある時間期間にわたる周波数リソースの同様のセットを含み得る。加えて、一例では、所与のスロットの中の1つもしくは複数の隣接するシンボルおよび/またはスロット自体は、(第5世代(5G)ニューラジオ(NR)技術などの)ワイヤレス通信技術のための送信時間間隔(TTI)を定義することができる。たとえば、遅延値は、アップリンク許可が受信される間の第1のスロットと、対応するアップリンク通信を送信する間の第2のスロットとの間のスロットの数を示すことができる。一例では、遅延値はゼロとすることができ、このことは、アップリンク許可が受信される間の同じスロットにおいて対応するアップリンク通信を送信することを示すことができ、または、遅延値はゼロよりも大きいものとすることができ、このことは、アップリンク許可が受信される間のスロットから遅延値に対応するスロットの数だけオフセットされた後続のスロットにおいて対応するアップリンク通信を送信することを示すことができる。この遅延値に基づいて、対応するRSを送信するためのスロット内の時分割のインデックス(たとえば、シンボル)が決定され得る。
【００２２】
一例では、RSは、ワイヤレスネットワークにおいてユーザ機器(UE)によって送信され得る復調基準信号(DM-RS)または他のRSに対応することができる。特定の例では、遅延値が0である(たとえば、同じスロットが、アップリンク許可を受信し、対応するアップリンク通信を送信するために構成される)場合、DM-RSは、スロット内の(たとえば、1つまたは複数のダウンリンクシンボルの後の)冒頭の(たとえば、最初の)アップリンクシンボルにおいて送信され得る。別の特定の例では、遅延値が0よりも大きい(たとえば、アップリンク許可を受信するためのスロットよりも後続のスロットが、対応するアップリンク通信を送信するために構成される)場合、DM-RSは、アップリンク許可が受信される間のスロット内のならびに/または対応するアップリンク通信が遅延値に基づいて送信されることになる間のスロットおよび/もしくは実質的に任意の他のスロット内の固定シンボルインデックスにおいて送信され得る。この例では、固定シンボルインデックスは、いつスロットがダウンリンク通信用に定義されたダウンリンクシンボルからアップリンク通信用に定義されたアップリンクシンボルに移行するかにかかわらず、固有のものとすることができる。
【００２３】
説明する特徴は、図1〜図8を参照しながら以下でより詳細に提示される。
【００２４】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなどの、コンピュータ関連エンティティを含むものとする。たとえば、構成要素は、限定はしないが、プロセッサ上で実行されるプロセス、プロセッサ、オブジェクト、実行ファイル、実行スレッド、プログラム、および/またはコンピュータであってもよい。例として、コンピューティングデバイス上で実行されるアプリケーションとコンピューティングデバイスの両方が構成要素であり得る。1つまたは複数の構成要素が、プロセスおよび/または実行スレッド内に存在してもよく、1つの構成要素が、1つのコンピュータ上に局所化されてもよく、かつ/または2つ以上のコンピュータの間で分散されてもよい。加えて、これらの構成要素は、様々なデータ構造を記憶した様々なコンピュータ可読媒体から実行することができる。構成要素は、信号によって、ローカルシステム、分散システム内の別の構成要素と対話し、かつ/またはインターネットなどのネットワークを介して他のシステムと対話する1つの構成要素からのデータなどの1つまたは複数のデータパケットを有する信号に従うことなどによって、ローカルプロセスおよび/またはリモートプロセスによって通信することができる。
【００２５】
本明細書で説明する技法は、CDMA、TDMA、FDMA、OFDMA、SC-FDMA、および他のシステムなどの様々なワイヤレス通信システムに使用され得る。「システム」および「ネットワーク」という用語は、しばしば互換的に使用され得る。CDMAシステムは、CDMA2000、ユニバーサル地上波無線アクセス(UTRA)などの無線技術を実装し得る。CDMA2000は、IS-2000規格、IS-95規格、およびIS-856規格を対象とする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広帯域CDMA(WCDMA(登録商標))およびCDMAの他の変形態を含む。TDMAシステムは、モバイル通信用グローバルシステム(GSM(登録商標))などの無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDM(商標)などの無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するUMTSの新しいリリースである。UTRA、E-UTRA、UMTS、LTE、LTE-A、およびGSM(登録商標)は、「第3世代パートナーシッププロジェクト」(3GPP)と称する組織からの文書に記載されている。CDMA2000およびUMBは、「第3世代パートナーシッププロジェクト2」(3GPP2)と称する組織からの文書に記載されている。本明細書で説明する技法は、上述のシステムおよび無線技術、ならびに共有無線周波数スペクトル帯域を介したセルラー(たとえば、LTE)通信を含む、他のシステムおよび無線技術に使用され得る。しかしながら、以下の説明は、例としてLTE/LTE-Aシステムについて説明し、以下の説明の大半においてLTE用語が使用されるが、本技法は、LTE/LTE-A適用例以外に(たとえば、5Gネットワークまたは他の次世代通信システムに)適用可能である。
【００２６】
以下の説明は例を提供するものであり、特許請求の範囲に記載された範囲、適用可能性、または例を限定するものではない。本開示の範囲から逸脱することなく、説明する要素の機能および構成に変更が加えられてもよい。様々な例は、必要に応じて、様々な手順または構成要素を省略、置換、または追加してもよい。たとえば、説明する方法は、説明する順序とは異なる順序で実行されることがあり、様々なステップが追加、省略、または組み合わされることがある。また、いくつかの例に関して説明する特徴は、他の例において組み合わされることがある。
【００２７】
様々な態様または特徴は、いくつかのデバイス、構成要素、モジュールなどを含むことができるシステムに関して提示される。様々なシステムは、追加のデバイス、構成要素、モジュールなどを含むことができ、かつ/または、図に関して説明するデバイス、構成要素、モジュールなどのすべてを含まなくてもよいことを理解し、諒解されたい。これらの手法の組合せも使用され得る。
【００２８】
図1は、本開示の様々な態様による、ワイヤレス通信システム100の一例を示す。ワイヤレス通信システム100は、1つまたは複数の基地局105と、1つまたは複数のUE115と、コアネットワーク130とを含み得る。コアネットワーク130は、ユーザ認証、アクセス許可、トラッキング、インターネットプロトコル(IP)接続、および他のアクセス機能、ルーティング機能、またはモビリティ機能を提供し得る。基地局105は、バックホールリンク132(たとえば、S1など)を通じてコアネットワーク130とインターフェースし得る。基地局105は、UE115との通信のための無線構成およびスケジューリングを実行し得るか、または基地局コントローラ(図示せず)の制御下で動作し得る。様々な例では、基地局105は、ワイヤード通信リンクまたはワイヤレス通信リンクであり得るバックホールリンク134(たとえば、X2など)を介して、直接的または間接的に(たとえば、コアネットワーク130を通じて)のいずれかで、互いと通信し得る。
【００２９】
基地局105は、1つまたは複数の基地局アンテナを介してUE115とワイヤレス通信し得る。基地局105の各々は、それぞれの地理的カバレージエリア110に通信カバレージを提供し得る。いくつかの例では、基地局105は、ネットワークエンティティ、基地トランシーバ局、無線基地局、アクセスポイント、無線トランシーバ、ノードB、eノードB(eNB)、ホームノードB、ホームeノードB、または何らかの他の適切な用語で呼ばれることがある。基地局105のための地理的カバレージエリア110は、カバレージエリアの一部分のみを構成するセクタ(図示せず)に分割され得る。ワイヤレス通信システム100は、異なるタイプの基地局105(たとえば、マクロセル基地局またはスモールセル基地局)を含み得る。異なる技術のための重複する地理的カバレージエリア110があり得る。
【００３０】
いくつかの例では、ワイヤレス通信システム100は、ロングタームエボリューション(LTE)またはLTEアドバンスト(LTE-A)ネットワークであってもよく、またはそれを含んでもよい。ワイヤレス通信システム100はまた、5Gワイヤレス通信ネットワークなどの次世代ネットワークであってもよい。LTE/LTE-Aネットワークでは、発展型ノードB(eNB)、gNBなどの用語は、一般に、基地局105を表すために使用されることがあり、UEという用語は、一般に、UE115を表すために使用されることがある。ワイヤレス通信システム100は、異なるタイプのeNBが様々な地理的領域にカバレージを提供する異種LTE/LTE-Aネットワークであってもよい。たとえば、各eNBまたは基地局105は、マクロセル、スモールセル、または他のタイプのセルに通信カバレージを提供し得る。「セル」という用語は、文脈に応じて、基地局、基地局に関連付けられたキャリアもしくはコンポーネントキャリア、またはキャリアもしくは基地局のカバレージエリア(たとえば、セクタなど)を表すために使用され得る3GPP用語である。
【００３１】
マクロセルは、比較的大きい地理的エリア(たとえば、半径数キロメートル)をカバーすることができ、ネットワークプロバイダのサービスに加入しているUE115による無制限アクセスを可能にし得る。
【００３２】
スモールセルは、マクロセルと同じまたはマクロセルとは異なる(たとえば、認可、無認可など)周波数帯域で動作し得る、マクロセルと比較すると低電力の基地局を含み得る。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることができ、フェムトセルとの関連付けを有するUE115(たとえば、限定加入者グループ(CSG)内のUE115、自宅内のユーザのためのUE115など)による制限付きアクセスを提供し得る。マクロセルのためのeNBは、マクロeNB、gNBなどと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートし得る。
【００３３】
様々な開示する例のうちのいくつかに適応し得る通信ネットワークは、階層化プロトコルスタックに従って動作するパケットベースネットワークであってもよく、ユーザプレーン内のデータは、IPに基づいてもよい。パケットデータコンバージェンスプロトコル(PDCP)レイヤは、IPパケットのヘッダ圧縮、暗号化、完全性保護などを提供することができる。無線リンク制御(RLC)レイヤは、論理チャネルを介して通信するためにパケットセグメンテーションおよび再アセンブリを実行し得る。MACレイヤは、優先処理と、トランスポートチャネルへの論理チャネルの多重化とを実行し得る。MACレイヤはまた、MACレイヤにおける再送信を行ってリンク効率を改善するために、HARQを使用し得る。制御プレーンでは、無線リソース制御(RRC)プロトコルレイヤは、UE115と基地局105との間のRRC接続の確立、構成、および維持を行い得る。RRCプロトコルレイヤはまた、ユーザプレーンデータのための無線ベアラのコアネットワーク130サポートに使用され得る。物理(PHY)レイヤにおいて、トランスポートチャネルは物理チャネルにマッピングされ得る。
【００３４】
UE115は、ワイヤレス通信システム100全体にわたって分散されてもよく、各UE115は、固定またはモバイルであり得る。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含んでもよく、またはそのように当業者によって呼ばれることがある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局、エンターテインメントデバイス、車両構成要素などであってもよい。UEは、マクロeNB、スモールセルeNB、中継基地局などを含む、様々なタイプの基地局およびネットワーク機器と通信することが可能であり得る。
【００３５】
ワイヤレス通信システム100において示される通信リンク125は、UE115から基地局105へのアップリンク(UL)送信、または基地局105からUE115へのダウンリンク(DL)送信を搬送し得る。ダウンリンク送信は順方向リンク送信と呼ばれることもあり、アップリンク送信は逆方向リンク送信と呼ばれることもある。各通信リンク125は、1つまたは複数キャリアを含んでもよく、各キャリアは、上記で説明した様々な無線技術に従って変調される複数のサブキャリア(たとえば、異なる周波数の波形信号)から構成される信号であり得る。各被変調信号は、異なるサブキャリア上で送られてもよく、制御情報(たとえば、基準信号、制御チャネルなど)、オーバーヘッド情報、ユーザデータなどを搬送してもよい。通信リンク125は、周波数分割複信(FDD)動作(たとえば、対スペクトルリソースを使用する)または時分割複信(TDD)動作(たとえば、不対スペクトルリソースを使用する)を使用して、双方向通信を送信し得る。FDD(たとえば、フレーム構造タイプ1)およびTDD(たとえば、フレーム構造タイプ2)に対するフレーム構造が定義され得る。
【００３６】
ワイヤレス通信システム100の態様では、基地局105またはUE115は、アンテナダイバーシティ方式を採用して基地局105とUE115との間の通信品質および信頼性を改善するための複数のアンテナを含み得る。追加または代替として、基地局105またはUE115は、同じまたは異なるコード化データを搬送する複数の空間レイヤを送信するためにマルチパス環境を利用し得る、多入力多出力(MIMO)技法を採用し得る。
【００３７】
ワイヤレス通信システム100は、複数のセルまたはキャリア上での動作、すなわち、キャリアアグリゲーション(CA)またはマルチキャリア動作と呼ばれることがある特徴をサポートし得る。キャリアは、コンポーネントキャリア(CC)、レイヤ、チャネルなどと呼ばれることもある。「キャリア」、「コンポーネントキャリア」、「セル」、および「チャネル」という用語は、本明細書では互換的に使用され得る。UE115は、キャリアアグリゲーションのために、複数のダウンリンクCCと1つまたは複数のアップリンクCCとで構成され得る。キャリアアグリゲーションは、FDDコンポーネントキャリアとTDDコンポーネントキャリアの両方を用いて使用され得る。
【００３８】
一例では、基地局105は、1つまたは複数のUE115へのリソースをスケジュールしてUE115とのワイヤレス通信を容易にするためのスケジューリング構成要素240を含んでもよく、UE115は、リソーススケジューリングを受信し、それに応じてリソースを介して基地局105と通信するための通信構成要素340を含んでもよい。スケジューリング構成要素240は、たとえば、ワイヤレス通信技術を使用する通信を対象としたリソースに関する制御データを送信するように構成され得る。一例では、制御データは、リソース許可が受信される間の時分割(たとえば、スロット)と対応する通信が行われることになる間の時分割との間の遅延に対応する遅延値を示し得る。次いで、通信構成要素340は、たとえば、制御データを受信して基地局105と通信するためのリソースを決定することができ、このことは、遅延値を決定することと、それに応じて、リソース許可が受信される間の時分割に関する遅延値に対応する時分割(たとえば、スロット)において基地局105と通信することとを含み得る。加えて、通信構成要素340は、遅延値に少なくとも部分的に基づいて、基準信号を送信するための時分割(たとえば、スロット内のシンボル)を決定し得る。
【００３９】
次に図2〜図8を参照すると、本明細書で説明するアクションまたは動作を実行し得る1つまたは複数の構成要素および1つまたは複数の方法に関して態様が図示されており、破線内の態様は任意選択であってもよい。図4〜図5において以下で説明する動作は、特定の順序でおよび/または例示的な構成要素によって実行されるものとして提示されるが、アクションの順序およびアクションを実行する構成要素は、実装形態に応じて変化し得ることを理解されたい。さらに、以下のアクション、機能、および/または説明する構成要素は、特別にプログラムされたプロセッサ、特別にプログラムされたソフトウェアまたはコンピュータ可読媒体を実行するプロセッサによって、あるいは説明するアクションまたは機能を実行することが可能なハードウェア構成要素および/またはソフトウェア構成要素の任意の他の組合せによって実行され得ることを理解されたい。
【００４０】
図2を参照すると、通信リンク125を介して基地局105と通信している複数のUE115を有するワイヤレス通信システムの一部分を含むブロック図200が示されており、ここで、基地局105は、ネットワーク210とも通信可能に結合される。UE115は、アップリンク許可を受信することと対応するアップリンク通信を送信することとの間の遅延の遅延値を決定し、遅延値に基づいて基準信号を送信するように構成された、本開示で説明するUEの例であり得る。さらに、基地局105は、アップリンクリソース許可をUE115に提供するおよび/または遅延値をUE115に示すように構成された、本開示で説明する基地局(たとえば、eNB、gNBなど)の一例であり得る。
【００４１】
一態様では、図2の基地局は、1つまたは複数のUE115のための通信リソースをスケジュールすることを含み得る、本開示で提示する機能、方法論(たとえば、図5の方法500)、または他の方法を実行するためにスケジューリング構成要素240と組み合わせて動作し得る、1つもしくは複数のプロセッサ205および/またはメモリ202を含み得る。本開示によれば、スケジューリング構成要素240は、リソース許可を受信することと対応する通信を実行することとの間の遅延に対応する遅延値を1つまたは複数のUE115に示すための遅延指示構成要素242と、基準信号を送信する際にUE115が使用するための(たとえば、シンボルなどの、スロットの)時分割を示すための任意選択のRS時間指示構成要素244とを含み得る。
【００４２】
1つまたは複数のプロセッサ205は、1つまたは複数のモデムプロセッサを使用するモデム220を含み得る。スケジューリング構成要素240および/またはその下位構成要素に関する様々な機能は、モデム220および/またはプロセッサ205に含まれてもよく、一態様では、単一のプロセッサによって実行され得るが、他の態様では、機能のうちの異なるものが、2つ以上の異なるプロセッサの組合せによって実行されてもよい。たとえば、一態様では、1つまたは複数のプロセッサ205は、モデムプロセッサ、またはベースバンドプロセッサ、またはデジタル信号プロセッサ、または送信プロセッサ、またはトランシーバ270に関連付けられたトランシーバプロセッサ、またはシステムオンチップ(SoC)のうちのいずれか1つまたは任意の組合せを含み得る。特に、1つまたは複数のプロセッサ205は、スケジューリング構成要素240に含まれる機能および構成要素を実行し得る。
【００４３】
いくつかの例では、スケジューリング構成要素240および下位構成要素の各々は、ハードウェア、ファームウェア、および/またはソフトウェアを備えてもよく、コードを実行するか、またはメモリ(たとえば、以下で説明するメモリ202などのコンピュータ可読記憶媒体)に記憶された命令を実行するように構成されてもよい。さらに、一態様では、図2の基地局105は、たとえば、UE115との間で無線送信を受信および送信するための、無線周波数(RF)フロントエンド290と、トランシーバ270とを含み得る。トランシーバ270は、モデム220と協調して、スケジューリング構成要素240に対する信号を受信するか、またはスケジューリング構成要素240によって生成された信号をUE115に送信し得る。RFフロントエンド290は、1つまたは複数のアンテナ273と通信可能に結合されてもよく、アップリンクチャネルおよびダウンリンクチャネル上でRF信号を送信および受信するための、1つまたは複数のスイッチ292と、1つまたは複数の増幅器(たとえば、電力増幅器(PA)294および/または低雑音増幅器291)と、1つまたは複数のフィルタ293とを含むことができる。一態様では、RFフロントエンド290の構成要素は、トランシーバ270と通信可能に結合され得る。トランシーバ270は、モデム220およびプロセッサ205のうちの1つまたは複数と通信可能に結合され得る。
【００４４】
トランシーバ270は、RFフロントエンド290を介してアンテナ273を通じてワイヤレス信号を(たとえば、送信機(TX)無線275を介して)送信し、(たとえば、受信機(RX)無線280を介して)受信するように構成され得る。一態様では、トランシーバ270は、基地局105が、たとえば、UE115と通信することができるように、指定された周波数で動作するように調整され得る。一態様では、たとえば、モデム220は、基地局105の構成およびモデム220によって使用される通信プロトコルに基づいて、トランシーバ270を指定された周波数および電力レベルで動作するように構成することができる。
【００４５】
図2の基地局105は、本明細書で使用するデータおよび/またはアプリケーションのローカルバージョン、あるいはプロセッサ205によって実行されているスケジューリング構成要素240および/またはその下位構成要素のうちの1つもしくは複数を記憶するためなどのメモリ202をさらに含み得る。メモリ202は、ランダムアクセスメモリ(RAM)、読取り専用メモリ(ROM)、テープ、磁気ディスク、光ディスク、揮発性メモリ、不揮発性メモリ、およびそれらの任意の組合せなどの、コンピュータまたはプロセッサ205によって使用可能な任意のタイプのコンピュータ可読媒体を含むことができる。一態様では、たとえば、メモリ202は、スケジューリング構成要素240および/またはその下位構成要素のうちの1つもしくは複数を定義する1つまたは複数のコンピュータ実行可能コードを記憶するコンピュータ可読記憶媒体であってもよい。追加または代替として、基地局105は、RFフロントエンド290、トランシーバ270、メモリ202、またはプロセッサ205のうちの1つまたは複数を通信可能に結合し、基地局105の構成要素および/または下位構成要素の各々の間でシグナリング情報を交換するためのバス211を含み得る。
【００４６】
一態様では、プロセッサ205は、図8の基地局に関して説明するプロセッサのうちの1つまたは複数に対応し得る。同様に、メモリ202は、図8の基地局に関して説明するメモリに対応し得る。
【００４７】
図3を参照すると、通信リンク125を介して基地局105と通信している複数のUE115を有するワイヤレス通信システムの一部分を含むブロック図300が示されており、ここで、基地局105は、ネットワーク210とも通信可能に結合される。UE115は、アップリンク許可を受信することと対応するアップリンク通信を送信することとの間の遅延の遅延値を決定し、遅延値に基づいて基準信号を送信するように構成された、本開示で説明するUEの例であり得る。さらに、基地局105は、アップリンクリソース許可をUE115に提供するおよび/または遅延値をUE115に示すように構成された、本開示で説明する基地局(たとえば、eNB、gNBなど)の一例であり得る。
【００４８】
一態様では、図3のUE115は、本開示で提示する機能、方法論(たとえば、図4の方法400)、または他の方法を実行するために通信構成要素340と組み合わせて動作し得る、1つもしくは複数のプロセッサ305および/またはメモリ302を含み得る。本開示によれば、通信構成要素340は、リソース許可を受信することと対応する通信を実行することとの間の遅延に対応する遅延値を決定するための遅延決定構成要素342、および/または、遅延値に少なくとも部分的に基づいてRSを送信するための(たとえば、スロット内のシンボルなどの、スロットの)時分割を決定するためのRS時間決定構成要素344を含み得る。
【００４９】
1つまたは複数のプロセッサ305は、1つまたは複数のモデムプロセッサを使用するモデム320を含み得る。通信構成要素340および/またはその下位構成要素に関する様々な機能は、モデム320および/またはプロセッサ305に含まれてもよく、一態様では、単一のプロセッサによって実行され得るが、他の態様では、機能のうちの異なるものが、2つ以上の異なるプロセッサの組合せによって実行されてもよい。たとえば、一態様では、1つまたは複数のプロセッサ305は、モデムプロセッサ、またはベースバンドプロセッサ、またはデジタル信号プロセッサ、または送信プロセッサ、またはトランシーバ370に関連付けられたトランシーバプロセッサ、またはシステムオンチップ(SoC)のうちのいずれか1つまたは任意の組合せを含み得る。特に、1つまたは複数のプロセッサ305は、通信構成要素340に含まれる機能および構成要素を実行し得る。
【００５０】
いくつかの例では、通信構成要素340および下位構成要素の各々は、ハードウェア、ファームウェア、および/またはソフトウェアを備えてもよく、コードを実行するか、またはメモリ(たとえば、以下で説明するメモリ302などのコンピュータ可読記憶媒体)に記憶された命令を実行するように構成されてもよい。さらに、一態様では、図3のUE115は、たとえば、基地局105との間で無線送信を受信および送信するための、RFフロントエンド390と、トランシーバ370とを含み得る。トランシーバ370は、モデム320と協調して、通信構成要素340によって受信されたパケットを含む信号を受信し得る。RFフロントエンド390は、1つまたは複数のアンテナ373と通信可能に結合されてもよく、アップリンクチャネルおよびダウンリンクチャネル上でRF信号を送信および受信するための、1つまたは複数のスイッチ392と、1つまたは複数の増幅器(たとえば、PA394および/またはLNA391)と、1つまたは複数のフィルタ393とを含むことができる。一態様では、RFフロントエンド390の構成要素は、トランシーバ370と通信可能に結合され得る。トランシーバ370は、モデム320およびプロセッサ305のうちの1つまたは複数と通信可能に結合され得る。
【００５１】
トランシーバ370は、RFフロントエンド390を介してアンテナ373を通じてワイヤレス信号を(たとえば、送信機(TX)無線375を介して)送信し、(たとえば、受信機(RX)無線380を介して)受信するように構成され得る。一態様では、トランシーバ370は、UE115が、たとえば、基地局105と通信することができるように、指定された周波数で動作するように調整され得る。一態様では、たとえば、モデム320は、UE115の構成およびモデム320によって使用される通信プロトコルに基づいて、トランシーバ370を指定された周波数および電力レベルで動作するように構成することができる。
【００５２】
図3のUE115は、本明細書で使用するデータおよび/またはアプリケーションのローカルバージョン、あるいはプロセッサ305によって実行されている通信構成要素340および/またはその下位構成要素のうちの1つもしくは複数を記憶するためなどのメモリ302をさらに含み得る。メモリ302は、RAM、ROM、テープ、磁気ディスク、光ディスク、揮発性メモリ、不揮発性メモリ、およびそれらの任意の組合せなどの、コンピュータまたはプロセッサ305によって使用可能な任意のタイプのコンピュータ可読媒体を含むことができる。一態様では、たとえば、メモリ302は、通信構成要素340および/またはその下位構成要素のうちの1つもしくは複数を定義する1つまたは複数のコンピュータ実行可能コードを記憶するコンピュータ可読記憶媒体であってもよい。追加または代替として、UE115は、RFフロントエンド390、トランシーバ370、メモリ302、またはプロセッサ305のうちの1つまたは複数を通信可能に結合し、UE115の構成要素および/または下位構成要素の各々の間でシグナリング情報を交換するためのバス311を含み得る。
【００５３】
一態様では、プロセッサ305は、図8のUEに関して説明するプロセッサのうちの1つまたは複数に対応し得る。同様に、メモリ302は、図8のUEに関して説明するメモリに対応し得る。
【００５４】
図4は、リソース許可を受信することと許可されたリソースを介して対応する通信を実行することとの間の決定された遅延に基づいて1つまたは複数の基準信号を(たとえば、UEによって)送信するための方法400の一例のフローチャートを示す。方法400では、破線ボックスとして示されるブロックは、任意選択のステップを表し得る。
【００５５】
方法400では、ブロック402において、対応する許可に基づいた通信の遅延に関する構成済み遅延値が決定され得る。一態様では、遅延決定構成要素342は、たとえば、プロセッサ305、メモリ302、トランシーバ370および/または通信構成要素340と連携して、対応する許可に基づいた通信の遅延に関する構成済み遅延値を決定することができる。たとえば、遅延値は、基地局105からアップリンクリソース許可を受信することと対応するアップリンク通信を基地局105に送信することとの間に生じる遅延を示すように構成され得る。一例では、K2と呼ばれることもある遅延値は、(たとえば、UE115に送信されるダウンリンク制御情報(DCI)などにおいて)UE115のために基地局105によって構成される、UE115上の構成に記憶される、UE115のメモリ302においてハードコーディングされる、などの場合がある。したがって、たとえば、遅延決定構成要素342は、基地局105から遅延値を(たとえば、DCIにおいて)受信してもよく、かつ/またはUE115のメモリ302内の構成から遅延値を取得してもよい。
【００５６】
一例では、基地局105は、可能な遅延値のうちの1つを示すために使用される(たとえば、DCI内のフィールドとしての)対応するポインタまたはインデックスとともに、可能な遅延値のセットを(たとえば、RRCまたは上位レイヤシグナリングを介して)構成することができる。この例では、遅延決定構成要素342は、値のセットに対するポインタまたはインデックスの指示として構成済み遅延値を受信することができ、示されたポインタまたはインデックスに対応するセットにおいて遅延値を決定することができる。この例では、UE115は、受信された許可に基づいてアップリンク通信を送信する際に、この遅延を使用することができる。
【００５７】
典型的には、通信構成要素340は、基地局105からアップリンク許可を受信することができ、UE115は、K2値に基づいて、(たとえば、スロットの数を単位として)遅延を決定することができる。加えて、アップリンク許可は、UE115がアップリンク通信を送信することができるスロット内のリソースを示してもよく、ここで、リソースは、スロット内の1つまたは複数のシンボル、1つまたは複数のシンボル内の1つまたは複数のサブキャリアなどを含むことができる。次いで、UE115は、アップリンク許可が受信される間のスロットのうちのある数(K2)のスロットであるスロットにおいて(たとえば、スロットの中の決定された1つまたは複数のシンボルにおいて)対応するアップリンク通信を送信することができる。たとえば、K2=0の場合、通信構成要素340は、同じスロットにおいてアップリンク許可を復号し、対応するデータ通信(たとえば、物理アップリンク共有チャネル(PUSCH)通信、物理アップリンク制御チャネル(PUCCH)など)を送信する。
【００５８】
ブロック404において、基準信号を送信するための時分割が、構成済み遅延値に少なくとも部分的に基づいて決定され得る。一態様では、RS時間決定構成要素344は、たとえば、プロセッサ305、メモリ302、トランシーバ370および/または通信構成要素340と連携して、構成済み遅延値に少なくとも部分的に基づいて基準信号を送信するための時分割を決定することができる。たとえば、RS時間決定構成要素344は、より大きい時分割内の時分割のインデックスまたはロケーションとして時分割を決定することができる(たとえば、より大きい時分割としてのスロット内の、時分割としてのシンボルのインデックスまたはロケーション)。したがって、たとえば、基準信号を送信するための時分割は、構成済み遅延値に基づいて変化し得る。したがって、上記の特定の例では、アップリンクスロット内の基準信号(たとえば、DM-RS)のロケーションは、K2の値に依存し得る。一例では、(たとえば、遅延値またはそれ以外のものに基づいて)基準信号を送信するための時分割を決定するための命令またはパラメータは、基地局105によってUE115のために構成されてもよく、UE115のメモリ302内に記憶またはハードコーディングされた構成において指定されてもよく、それらの組合せなどであってもよい。
【００５９】
例が図6A、図6B、図7A、および図7Bに示されており、これらの図は、本明細書で説明する態様による、(図示された水平軸上の)時間にわたる(図示された垂直軸上の)周波数の部分におけるリソース割振り600、602、604、606、700、702、704、706の例を示す。リソース割振り600、602、604、606、700、702、704、706は各々、5Gワイヤレス通信において定義されたスロットに対応してもよく、ここで、各スロットは、複数のシンボル(たとえば、図示されるように14個のシンボル)を含んでもよく、ここで、シンボルは、上記で説明したように、ある時間期間にわたって定義された周波数の一部分を含む、OFDMシンボル、SC-FDMシンボルなどであってもよい。たとえば、図6Aおよび図6Bは、構成済み遅延値が0である(たとえば、通信構成要素340が、アップリンクリソース許可が受信される間の同じスロットにおいてアップリンク通信を送信する)リソース割振りを図示し得る。したがって、この例では、遅延決定構成要素342は、遅延値(たとえば、K2)=0と決定し、RS時間決定構成要素344は、それに応じて、復調RS(DM-RS)がスロット(たとえば、リソース許可が受信される間の同じスロット)の中の最初のアップリンクシンボルにおいて送信されるべきであると決定することができる。たとえば、(図6Aの)リソース割振り600は、スロットにおいて1つのダウンリンクシンボル620、1つのガードシンボル622、次いでいくつかのアップリンクシンボル630を含むことができる。この例では、最初のアップリンクシンボル610がDM-RSを送信するために使用され、RS時間決定構成要素344は、遅延決定構成要素342がK2=0と決定したことに少なくとも部分的に基づいて、最初のアップリンクシンボル610においてDM-RSを送信すると決定することができる。同様に、(図6Bの)リソース割振り602は、2つのダウンリンクシンボル624、1つのガードシンボル622、次いでいくつかのアップリンクシンボル640を含むことができる。この例では、スロット内の異なる絶対シンボルインデックスにあるものの、最初のアップリンクシンボル612が決定され、DM-RSを送信するために使用され得る。一例では、RS時間決定構成要素344は、基地局105から受信された、またはUE115のメモリ302に記憶されたなどのスロット構成に少なくとも部分的に基づいて、スロットにおける最初のアップリンクシンボルを決定することができ、ここで、スロット構成は、スロットのどのシンボルがダウンリンクシンボル、アップリンクシンボル、および/またはガードシンボルであるかを示すことができる。
【００６０】
加えて、たとえば、基地局105は、UE115から基地局105にアップリンク通信を送信する際に使用されるべき周波数ホッピングを構成し得る。この例では、通信構成要素340は、第1のハーフスロットに第1の周波数を使用し、第2のハーフスロットに第2の周波数を使用するなど、スロット内の異なるシンボルにおける異なる周波数を使用して、アップリンク通信を基地局105に送信することができる。この例では1つのダウンリンクシンボル620と、1つのガードシンボル622と、複数のアップリンクシンボル630とを含む(図6Aの)リソース割振り604に示すように、RS時間決定構成要素344は、DM-RSは第1のハーフスロットの最初のアップリンクシンボル610上で、および/または第2のハーフスロットの最初のアップリンクシンボル614上でも送信されるべきであると決定することができる。一例では、RS時間決定構成要素344は、基地局105から受信された、UE115のメモリ302に記憶されたなどのスロット構成に少なくとも部分的に基づいて、ハーフスロットにおける最初のアップリンクシンボルを決定することができ、ここで、スロット構成は、スロットのどのシンボルがダウンリンクシンボル、アップリンクシンボル、および/またはガードシンボルであるかを示すことができる。同様に、この例では2つのダウンリンクシンボル624と、1つのガードシンボル622と、複数のアップリンクシンボル640とを含む(図6Bの)リソース割振り606に示すように、RS時間決定構成要素344は、DM-RSは第1のハーフスロットの最初のアップリンクシンボル612上で、および/または第2のハーフスロットの最初のアップリンクシンボル616上でも送信されるべきであると決定することができる。
【００６１】
上記の例では、図6Aおよび図6Bを参照しながら説明したように、遅延決定構成要素342がK2=0と決定した場合、RS時間決定構成要素344は、スロット構成に応じて、スロットまたはハーフスロットの最初のアップリンクシンボルにおいてDM-RSを送信すると決定することができる。たとえば、DM-RSは、スロットにおけるダウンリンク制御持続時間にかかわらず、スロットの先頭アップリンク部分にあることができる。これは、(たとえば、通信構成要素340は、スロットのダウンリンク制御部分に続く最初のアップリンクシンボルにおいてDM-RSを送信するが、PUSCH波形を送信しないので)UE115がアップリンク許可を復号しアップリンク(たとえば、送信のためのPUSCH波形)を準備するための余分の処理時間を考慮することができる。加えて、これは、スロットのアップリンク部分の前のダウンリンクシンボルおよび/または(たとえば、ガード期間における)ガードシンボルの数に基づいて、所与のスロットの浮遊DM-RSロケーションをもたらし得る。いずれの場合も、たとえば、RS時間決定構成要素344は、基地局105から受信されたスロット構成に少なくとも部分的に基づいて、またはさもなければ、スロットのダウンリンク部分の末尾もしくはスロットのガード期間の末尾を検出したことに基づいて、スロットにおける最初のアップリンクシンボルを決定することができる。一例では、RS時間決定構成要素344は、スロットのダウンリンク部分における最後のシンボルに(時間的に)隣接するシンボル、スロットのガード部分における最後のシンボルに(時間的に)隣接するシンボルなどとして、最初のアップリンクシンボルを決定することができる。
【００６２】
たとえば、図7Aおよび図7Bは、構成済み遅延値が0よりも大きい(たとえば、通信構成要素340が、リソース許可が受信される間のスロットに続くスロットにおいてアップリンク通信を送信する)リソース割振りを図示し得る。したがって、この例では、遅延決定構成要素342は、遅延値(たとえば、K2)>0(たとえば、K2=1、K2=2など)と決定し、RS時間決定構成要素344は、K2>0と決定したことに基づいて、復調RS(DM-RS)はスロット(たとえば、アップリンク許可が受信される間のスロット、対応するアップリンク通信がK2に基づいて送信のためにスケジュールされる間のスロット、または別のスロット)内の固定シンボルインデックスにおいて送信されるべきであると決定することができる。たとえば、(図7Aの)リソース割振り700は、スロットにおいて1つのダウンリンクシンボル720、1つのガードシンボル722、次いでいくつかのアップリンクシンボル730を含むことができ、(図7Bの)リソース割振り702は、スロットにおいて2つのダウンリンクシンボル724、1つのガードシンボル722、次いでいくつかのアップリンクシンボル740を含むことができる。いずれの場合も、たとえば、シンボル710(5番目のシンボル)は、DM-RSを送信するために使用され、シンボル712(11番目のシンボル)も、DM-RSを送信するために任意選択で使用され得る。たとえば、シンボルロケーションは、スロット内のダウンリンクシンボルおよび/またはアップリンクシンボルの数にかかわらず、固定であり得る。加えて、一例では、基地局105は、本明細書でさらに説明するように、スロット内のシンボルロケーションおよび/またはUE115がDM-RSを送信することになる間のスロットを構成し得る。
【００６３】
加えて、たとえば、1つのダウンリンクシンボル720と、1つのガードシンボル722と、複数のアップリンクシンボル730とを含む(図7Aの)リソース割振り704において、および/または、2つのダウンリンクシンボル724と、1つのガードシンボル722と、複数のアップリンクシンボル740とを含む(図7Bの)リソース割振り706において、基地局105が周波数ホッピングを構成する場合、RS時間決定構成要素344は、DM-RSは第1のハーフスロットの5番目のシンボル710上でおよび/または11番目のシンボル712(たとえば、第2のハーフスロットの4番目のシンボル)上でも送信されるべきであると決定することができ、ここで、異なるハーフスロットにおいてDM-RSを送信することは、異なる周波数リソース上でスケジュールされ得る。
【００６４】
上記の例では、説明したように、遅延決定構成要素342がK2>0(および/または何らかの特定の値に等しい)と決定した場合、RS時間決定構成要素344は、固定シンボルインデックス/ロケーション(たとえば、スロットの5番目のシンボルおよび/または11番目のシンボル)においてDM-RSを送信すると決定することができる。この例で絶対シンボルインデックスにおいてDM-RSを送信することは、アップリンク性能を高めることができる。たとえば、5番目のシンボルおよび/または11番目のシンボル上でDM-RSを送信することは、DM-RSの間に少なくとも5つのシンボルが残され、1つまたは2つのシンボルがDM-RSの外にある、チャネル推定性能の望ましい結果をもたらし得る。加えて、アップリンクDM-RSパターンおよびダウンリンクDM-RSパターンを統一するために、一例では、アップリンクDM-RSは、ダウンリンクシンボルと同じ絶対DM-RSシンボルインデックス上に置かれ得る。
【００６５】
図4を参照すると、一例では、ブロック404において時分割を決定することは、ブロック406において、時分割の指示を受信することを任意選択で含み得る。一態様では、RS時間決定構成要素344は、たとえば、プロセッサ305、メモリ302、トランシーバ370および/または通信構成要素340と連携して、時分割の指示を受信することができる。一例では、RS時間決定構成要素344は、ハードコーディングされたまたは他の方法で構成された時分割を有することができるメモリ302から、ダイレクトシグナリングを使用して基地局105によってUE115に送られた構成(たとえば、DCI、RRCまたは他の上位レイヤ構成)から、基地局105によって送信された1つまたは複数のSIBからなど、指示を(たとえば、スロット内の1つまたは複数のシンボルインデックスとして)受信することができる。別の例では、RS時間決定構成要素344は、基地局105から(たとえば、RRCシグナリングを介して)基準信号を送信するための時分割のインデックスのセットを受信することができる。たとえば、セットの中の各値は、K2の1つまたは複数の値に対応することができ、RS時間決定構成要素344は、セットに基づいて、かつK2の決定された値に基づいて、基準信号を送信するための時分割のインデックスを決定することができる。一例では、インデックスのセットの中の各値は、K2の対応する値に関連付けられ得る(たとえば、セットの中の第1の値において示されるシンボルインデックスは、K2=0に使用され得る、セットの中の第2の値において示されるシンボルインデックスは、K2=1に使用され得る、など)。別の例では、インデックスのセットの中の各値は、K2の単一の値または値の範囲に関連付けられ得る。いずれの場合も、一例では、RS時間決定構成要素344は、指示を受信するか、またはさもなければ遅延決定構成要素342が(たとえば、0よりも大きいかまたは実質的に任意の値に等しいものとして)遅延値を決定したことに基づいて時分割を利用すると決定することができる。一例では、遅延決定構成要素342は、遅延値(たとえば、シンボルインデックスへの遅延値のマッピング、遅延値に基づいてシンボルインデックスを計算するための記憶された公式など)に基づいて時分割を決定し得る。
【００６６】
方法400では、任意選択でブロック408において、構成済み遅延値に少なくとも部分的に基づいて、同じスロットにおいて後続の基準信号を送信するための後続の時分割が決定され得る。一態様では、RS時間決定構成要素344は、たとえば、プロセッサ305、メモリ302、トランシーバ370および/または通信構成要素340と連携して、構成済み遅延値に少なくとも部分的に基づいて、同じスロットにおいて後続の基準信号を送信するための後続の時分割を決定することができる。たとえば、後続の時分割は、図6A、図6B、図7A、および図7Bを参照しながら上記で説明したように、基準信号を送信するためのスロット内の(たとえば、スロットの別のハーフスロット内のまたはそれ以外の)別のシンボルに対応し得る。たとえば、後続の時分割は、所与の遅延値に対応する別の固定シンボルロケーション、周波数ホッピングするときに利用するための別の浮遊シンボルロケーションなどに対応し得る。いずれの場合も、RS時間決定構成要素344は、遅延値に基づいて、および/またはメモリ302に記憶された(たとえば、ハードコーディングされたまたは他の方法で構成された)、基地局105によって構成されたなどの1つもしくは複数のパラメータに基づいて、スロット内のシンボルとして後続の時分割を決定することができる。
【００６７】
ブロック410において、基準信号は、時分割の間に送信され得る。一態様では、通信構成要素340は、たとえば、プロセッサ305、メモリ302、および/またはトランシーバ370と連携して、時分割の間に基準信号を送信することができる。たとえば、通信構成要素340は、所与のスロット内の1つまたは複数の決定されたシンボルインデックスに対応するシンボルの間に基準信号(たとえば、DM-RS)を送信することができる。
【００６８】
任意選択で、ブロック412において、通信は、構成済み遅延値に基づいたスロット内の対応する許可のリソースを介して送信され得る。一態様では、通信構成要素340は、たとえば、プロセッサ305、メモリ302、および/またはトランシーバ370と連携して、構成済み遅延値に基づいたスロット内の対応する許可のリソースを介して通信を送信することができる。一例では、通信構成要素340は、送信されたRSに基づいて通信を送信して、RSに基づいた基地局105による通信の復号を容易にすることができる。
【００６９】
図5は、基準信号を送信するための遅延値および/または時分割を(たとえば、基地局によって)示すための方法500の一例のフローチャートを示す。方法500では、破線ボックスとして示されるブロックは、任意選択のステップを表し得る。
【００７０】
方法500では、ブロック502において、対応する許可に基づいた通信の遅延に関する構成済み遅延値が示され得る。一態様では、遅延指示構成要素242は、たとえば、プロセッサ205、メモリ202、トランシーバ270および/またはスケジューリング構成要素240と連携して、対応する許可に基づいた通信の遅延に関する構成済み遅延値を示すことができる。説明したように、たとえば、遅延指示構成要素242は、UE115に送信される構成において(たとえば、DCIなどにおいて)遅延値を示すことができる。さらに、たとえば、遅延指示構成要素242は、UEからの信号の信号強度またはUEによって受信されたダウンリンク信号もしくは他の信号についてのUEによって報告される信号強度、UEとのリンクのリンク品質、UEに送られる信号およびUEから受信される応答信号のラウンドトリップ時間、UEのバッファに記憶される送信用データの量を示すバッファステータス報告、基地局105における負荷などの様々な要因に基づいて、所与のUEに対する(または1つもしくは複数のUEに対する)遅延値を決定することができる。一例では、より高い信号強度、より良いリンク品質、より低いラウンドトリップ時間などを有するUEは、より低い遅延値で構成され得る。
【００７１】
方法500では、ブロック504において、構成済み遅延値に少なくとも部分的に基づいて基準信号を送信するための時分割の指示が示され得る。一態様では、RS時間指示構成要素244は、たとえば、プロセッサ205、メモリ202、トランシーバ270および/またはスケジューリング構成要素240と連携して、基準信号を送信するための時分割の指示を示すことができ、ここで、示すことは、構成済み遅延値に少なくとも部分的に基づく。たとえば、時分割の指示は、より大きい時分割内の時分割のインデックスまたはロケーション(たとえば、スロット内のシンボルのインデックス)に対応することができる。一例では、示された時分割は、いくつかの遅延値(たとえば、遅延値がゼロよりも大きいとき、および/または構成済み遅延値もしくは値の範囲の場合)には使用されるが、場合によっては他の値(たとえば、遅延値がゼロに等しいとき)には使用されない可能性がある。一例では、基地局105は、構成済み遅延値などと連携して、時分割の指示を使用することに関する1つまたは複数のパラメータを構成することができる。
【００７２】
一例では、RS時間指示構成要素244は、UE115が基準信号を送信することになるシンボルのインデックスを(たとえば、UE115へのDCIまたは他の専用シグナリング、RRCまたは他の上位レイヤシグナリング、SIB信号などを使用して)直接シグナリングすることができる。この例では、UE115は、基準信号を送信するとき、直接シグナリングされたインデックスにおけるシンボルを利用することができる。別の例では、RS時間指示構成要素244は、基準信号を送信するためのシンボルのインデックスのセットを(たとえば、RRCシグナリングを介して)シグナリングすることができ、ここで、セットの中の各値は、K2の1つまたは複数の値に対応することができる。一例では、インデックスのセットの中の各値は、K2の対応する値またはK2の値の範囲に関連付けられ得る(たとえば、セットの中の第1の値において示されるシンボルインデックスは、K2=0に使用され得る、セットの中の第2の値において示されるシンボルインデックスは、K2=1に使用され得る、など)。
【００７３】
方法500では、ブロック506において、基準信号は、時分割の間に受信され得る。一態様では、スケジューリング構成要素240は、たとえば、プロセッサ205、メモリ202、および/またはトランシーバ270と連携して、時分割の間に基準信号を受信することができる。たとえば、スケジューリング構成要素240は、時分割(たとえば、RS時間指示構成要素244によって示されたスロットのシンボル)の間にDM-RSを受信することができ、それに応じて、DM-RSに基づいたスロット(たとえば、またはハーフスロットもしくはスロットの他の部分)においてUE115からの通信を復調することができる。
【００７４】
したがって、たとえば、任意選択でブロック508において、許可に対応するとともに構成済み遅延値に基づいたリソースにおいて、(たとえば、UE115から)アップリンク通信が受信され得る。一態様では、スケジューリング構成要素240は、たとえば、プロセッサ205、メモリ202、および/またはトランシーバ270と連携して、許可に対応するとともに構成済み遅延値に基づいたリソースにおいて(たとえば、リソース許可が送信される間のシンボルから遅延値だけオフセットされたシンボルにおいて)、アップリンク通信を受信することができる。加えて、この例では、任意選択でブロック510において、基準信号に基づいてアップリンク通信が復号され得る。一態様では、スケジューリング構成要素240は、たとえば、プロセッサ205、メモリ202、および/またはトランシーバ270と連携して、基準信号に基づいてアップリンク通信を復号することができる。たとえば、スケジューリング構成要素240は、リソース許可において指定されたリソースにおいて、および、構成済み遅延値に基づいて決定されたスロットにおいて受信されるアップリンク通信を決定することができ、説明したように、チャネル推定または他の処理を実行してアップリンク通信を解釈するために、そのスロットまたは前のスロットにおいて受信された基準信号を使用することができる。
【００７５】
図8は、基地局105およびUE115を含むMIMO通信システム800のブロック図である。MIMO通信システム800は、図1を参照しながら説明したワイヤレス通信システム100の態様を示し得る。基地局105は、図1〜図3を参照しながら説明した基地局105の態様の一例であり得る。基地局105はアンテナ834および835を備えてもよく、UE115はアンテナ852および853を備えてもよい。MIMO通信システム800では、基地局105は、複数の通信リンクを介して同時にデータを送ることが可能であり得る。各通信リンクは「レイヤ」と呼ばれることがあり、通信リンクの「ランク」は通信に使用されるレイヤの数を示し得る。たとえば、基地局105が2つの「レイヤ」を送信する2×2のMIMO通信システムでは、基地局105とUE115との間の通信リンクのランクは2である。
【００７６】
基地局105において、送信(Tx)プロセッサ820は、データソースからデータを受信してもよい。送信プロセッサ820は、データを処理してもよい。送信プロセッサ820はまた、制御シンボルまたは基準シンボルを生成してもよい。送信MIMOプロセッサ830は、適用可能な場合、データシンボル、制御シンボル、または基準シンボルに対して空間処理(たとえば、プリコーディング)を実行してもよく、出力シンボルストリームを変調器/復調器832および833に与えてもよい。各変調器/復調器832〜833は、(たとえば、OFDMなどのために)それぞれの出力シンボルストリームを処理して、出力サンプルストリームを取得してもよい。各変調器/復調器832〜833は、出力サンプルストリームをさらに処理(たとえば、アナログに変換、増幅、フィルタリング、およびアップコンバート)して、DL信号を取得してもよい。一例では、変調器/復調器832および833からのDL信号は、それぞれ、アンテナ834および835を介して送信されてもよい。
【００７７】
UE115は、図1〜図3を参照しながら説明したUE115の態様の一例であり得る。UE115において、UEアンテナ852および853は、基地局105からDL信号を受信してもよく、それぞれ、受信された信号を変調器/復調器854および855に与えてもよい。各変調器/復調器854〜855は、それぞれの受信された信号を調整(たとえば、フィルタリング、増幅、ダウンコンバート、およびデジタル化)して、入力サンプルを取得してもよい。各変調器/復調器854〜855は、(たとえば、OFDMなどのために)入力サンプルをさらに処理して、受信されたシンボルを取得してもよい。MIMO検出器856は、変調器/復調器854および855から受信されたシンボルを取得し、適用可能な場合、受信されたシンボルに対してMIMO検出を実行し、検出されたシンボルを与えてもよい。受信(Rx)プロセッサ858は、検出されたシンボルを処理(たとえば、復調、デインターリーブ、および復号)し、UE115のための復号されたデータをデータ出力に与え、復号された制御情報をプロセッサ880またはメモリ882に与えてもよい。
【００７８】
プロセッサ880は、場合によっては、通信構成要素340(たとえば、図1および図3参照)をインスタンス化するために、記憶された命令を実行してもよい。
【００７９】
アップリンク(UL)上で、UE115において、送信プロセッサ864は、データソースからデータを受信し、処理してもよい。送信プロセッサ864はまた、基準信号用の基準シンボルを生成してもよい。送信プロセッサ864からのシンボルは、適用可能な場合、送信MIMOプロセッサ866によってプリコーディングされ、(たとえば、SC-FDMAなどのために)変調器/復調器854および855によってさらに処理され、基地局105から受信された通信パラメータに従って基地局105に送信されてもよい。基地局105において、UE115からのUL信号は、アンテナ834および835によって受信され、変調器/復調器832および833によって処理され、適用可能な場合、MIMO検出器836によって検出され、受信プロセッサ838によってさらに処理されてもよい。受信プロセッサ838は、復号されたデータをデータ出力とプロセッサ840またはメモリ842とに与えてもよい。
【００８０】
プロセッサ840は、場合によっては、スケジューリング構成要素240(たとえば、図1および図2参照)をインスタンス化するために、記憶された命令を実行してもよい。
【００８１】
UE115の構成要素は、適用可能な機能のうちのいくつかまたはすべてをハードウェアで実行するように適応された1つまたは複数のASICを用いて、個別にまたは集合的に実装され得る。言及したモジュールの各々は、MIMO通信システム800の動作に関する1つまたは複数の機能を実行するための手段であり得る。同様に、基地局105の構成要素は、適用可能な機能のうちのいくつかまたはすべてをハードウェアで実行するように適応された1つまたは複数のASICを用いて、個別にまたは集合的に実装され得る。言及した構成要素の各々は、MIMO通信システム800の動作に関する1つまたは複数の機能を実行するための手段であり得る。
【００８２】
添付の図面に関して上記に記載した上記の詳細な説明は、例について説明しており、実装され得るかまたは特許請求の範囲内に入る唯一の例を表すものではない。「例」という用語は、本明細書で使用されるとき、「例、事例、または例示として働くこと」を意味し、「好ましい」または「他の例よりも有利である」ことを意味しない。詳細な説明は、説明する技法の理解を与える目的で具体的な詳細を含む。しかしながら、これらの技法は、これらの具体的な詳細なしに実践され得る。いくつかの事例では、説明する例の概念を不明瞭にすることを回避するために、よく知られている構造および装置はブロック図の形態で示される。
【００８３】
情報および信号は、様々な異なる技術および技法のうちのいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、コンピュータ可読媒体上に記憶されたコンピュータ実行可能コードもしくは命令、またはそれらの任意の組合せによって表され得る。
【００８４】
本明細書の本開示に関して説明する様々な例示的なブロックおよび構成要素は、限定はしないが、プロセッサ、デジタル信号プロセッサ(DSP)、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せなどの、特別にプログラムされたデバイスを用いて実装または実行され得る。特別にプログラムされたプロセッサは、マイクロプロセッサであってもよいが、代替として、プロセッサは、任意の従来のプロセッサ、コントローラ、マイクロコントローラ、または状態機械であってもよい。特別にプログラムされたプロセッサはまた、コンピューティングデバイスの組合せ、たとえば、DSPとマイクロプロセッサの組合せ、複数のマイクロプロセッサ、DSPコアと連携する1つもしくは複数のマイクロプロセッサ、または任意の他のそのような構成として実装され得る。
【００８５】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして非一時的コンピュータ可読媒体上に記憶されるか、または非一時的コンピュータ可読媒体を介して送信され得る。他の例および実装形態は、本開示および添付の特許請求の範囲の範囲および趣旨内にある。たとえば、ソフトウェアの性質に起因して、上記で説明した機能は、特別にプログラムされたプロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。また、特許請求の範囲内を含めて本明細書で使用する場合、「のうちの少なくとも1つ」で終わる項目のリストにおいて使用される「または」は、たとえば、「A、B、またはCのうちの少なくとも1つ」のリストがAまたはBまたはCまたはABまたはACまたはBCまたはABC(すなわち、AおよびBおよびC)を意味するような選言的リストを示す。
【００８６】
コンピュータ可読媒体は、コンピュータ記憶媒体と、ある場所から別の場所へのコンピュータプログラムの転送を容易にする任意の媒体を含む通信媒体の両方を含む。記憶媒体は、汎用コンピュータまたは専用コンピュータによってアクセスされ得る任意の利用可能な媒体であり得る。限定ではなく例として、コンピュータ可読媒体は、RAM、ROM、EEPROM、CD-ROMまたは他の光ディスクストレージ、磁気ディスクストレージまたは他の磁気ストレージデバイス、あるいは、命令またはデータ構造の形態の所望のプログラムコード手段を搬送または記憶するために使用され得、汎用コンピュータもしくは専用コンピュータまたは汎用プロセッサもしくは専用プロセッサによってアクセスされ得る任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用する場合、ディスク(disk)およびディスク(disc)は、コンパクトディスク(disc)(CD)、レーザーディスク(disc)、光ディスク(disc)、デジタル多用途ディスク(disc)(DVD)、フロッピーディスク(登録商標)(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【００８７】
本開示の前述の説明は、当業者が本開示を作成または使用することができるように与えられる。本開示の様々な修正は、当業者に容易に明らかになり、本明細書で定義する一般原理は、本開示の趣旨または範囲から逸脱することなく、他の変形形態に適用され得る。さらに、説明する態様および/または実施形態の要素は、単数形で説明または特許請求されている場合があるが、単数形への限定が明示的に述べられていない限り、複数形が企図される。加えて、任意の態様および/または実施形態のすべてまたは一部分は、別段に記載されていない限り、任意の他の態様および/または実施形態のすべてまたは一部分とともに利用され得る。したがって、本開示は、本明細書で説明する例および設計に限定されるべきではなく、本明細書で開示する原理および新規の特徴と一致する最も広い範囲を与えられるべきである。
【符号の説明】
【００８８】
100  ワイヤレス通信システム
105  基地局
110  地理的カバレージエリア
115  UE
125  通信リンク
130  コアネットワーク
132、134  バックホールリンク
200、300  ブロック図
202、302、842、882  メモリ
205、305、840、880  プロセッサ
210  ネットワーク
211、311  バス
220、320  モデム
240  スケジューリング構成要素
242  遅延指示構成要素
244  RS時間指示構成要素
270、370  トランシーバ
273、373、834、835、852、853  アンテナ
275、375  送信機(TX)無線
280、380  受信機(RX)無線
290  無線周波数(RF)フロントエンド、RFフロントエンド
291  低雑音増幅器
292、392  スイッチ
293、393  フィルタ
294  電力増幅器(PA)
340  通信構成要素
342  遅延決定構成要素
344  RS時間決定構成要素
390  RFフロントエンド
391  LNA
394  PA
400、500  方法
600、602、604、606、700、702、704、706  リソース割振り
610、612、614  最初のアップリンクシンボル
620、624、720、724  ダウンリンクシンボル
622、722  ガードシンボル
630、640、730、740  アップリンクシンボル
710  シンボル、5番目のシンボル
712  シンボル、11番目のシンボル
800  MIMO通信システム
820  送信(Tx)プロセッサ、送信プロセッサ
830、866  送信MIMOプロセッサ
832、833、854、855  変調器/復調器
836、856  MIMO検出器
838  受信プロセッサ
858  受信(Rx)プロセッサ
864  送信プロセッサ
【図１】
2020520580.tif 000003
【図２】
2020520580.tif 000004
【図３】
2020520580.tif 000005
【図４】
2020520580.tif 000006
【図５】
2020520580.tif 000007
【図６Ａ】
2020520580.tif 000008
【図６Ｂ】
2020520580.tif 000009
【図７Ａ】
2020520580.tif 000010
【図７Ｂ】
2020520580.tif 000011
【図８】
2020520580.tif 000012
【国際調査報告】
2020520580.tif 000013
2020520580.tif 000014
2020520580.tif 000015